(57)【要約】【課題】散水の角度および散水のパワーが調節可能な全方向散水機を提供する。【解決手段】  案内管１０は、一端に水源と接続されている接続部１１が設けられている。散水ヘッド２０は、回転自在にて案内管の他端に設けられており、案内管１０を中心として外側に延在する複数の通水アーム２２を有し、接続部１１に注水されると、案内管１０を中心として回転しながら散水する。散水ノズル３０は、全方向ボールヘッド３１が設けられており、他端に出水端が設けられており、全方向ボールヘッド３１が通水アーム２２の一端に設けられており、通水アーム２２に対して所定の角度範囲内で噴射角度が調節可能である。これにより、植物の需要に従って所定角度の散水方向を設定することができ、出水端より噴出される水滴のパワーと速度とを調節することができる。【選択図】図２
0003189781.tif 000002
【実用新案登録請求の範囲】
【請求項１】
一端に水源と接続されている接続部が設けられている案内管と、
回転自在にて前記案内管の他端に設けられており、前記案内管を中心として外側に延在する複数の通水アームを有し、前記接続部に注水されると、前記案内管を中心として回転しながら散水する散水ヘッドと、
一端に全方向ボールヘッドが設けられており、他端に出水端が設けられており、前記全方向ボールヘッドが前記通水アームの一端に設けられており、前記通水アームに対して所定の角度範囲内で噴射角度が調節可能である複数の散水ノズルと、を備えることを特徴とする全方向散水機。
【請求項２】
前記通水アームの側壁にアームノズル孔が形成されており、
前記アームノズル孔は、開口方向が同じ回転方向に開口されていることを特徴とする請求項１記載の全方向散水機。
【請求項３】
前記通水アームの一端に螺設されており、前記全方向ボールヘッドと組み合わせる取付部材をさらに備え、
前記取付部材の一端に前記全方向ボールヘッドの方向を固定可能な位置決め部材が螺設されていることを特徴とする請求項１記載の全方向散水機。
【請求項４】
前記散水ノズルは、水量を調節することが可能に螺合されている調節キャップを有することを特徴とする請求項１記載の全方向散水機。
【請求項５】
前記散水ヘッドは、複数のヘッドノズル孔が形成されていることを特徴とする請求項１記載の全方向散水機。
【考案の詳細な説明】
【技術分野】
【０００１】
本考案は、散水機に関し、特に全方向散水機に関する。
【背景技術】
【０００２】
散水機は、農作の田園や園芸栽培場または公園などに良く使用されている。しかし、毎日潅漑水を確認するには多くの時間と手間がかかる。よって、業者で散水機の構造の開発及び研究が行われている。従来の散水機は、地面に置かれ、本体および散水部を備える。本体は、一端がホースに連結する。散水部は、一端が本体に連結されている。水は、ホースから本体に注入され、散水部に案内されると、散水され、一定範囲の散水効果が得られる。
【考案の概要】
【考案が解決しようとする課題】
【０００３】
しかしながら、従来の散水機の実用性と利便性が不足であり、２つの欠点が存在している。欠点一は、この種の散水機の散水部は特殊に設計されておらず、周辺部の一定範囲で散水できるが、使用者の需要に応じて散水の高さを調節することができない。また、大きい散水面積が必要とするとき、散水機の数を増やさなければならない。欠点二は、散水の強さを加減することはできない。
【０００４】
本考案は、散水の角度および散水のパワーが調節可能な全方向散水機を提供することを目的とする。
【課題を解決するための手段】
【０００５】
本考案の全方向散水機は、案内管、散水ヘッド、および散水ノズルを備える。案内管は、一端に水源側に接続可能な接続部を有する。散水ヘッドは、該案内管の他端にて回転可能に螺合され、外側に延在して複数の中空状の通水アームに連結されており、接続部に注水されたとき散水を実施できる。散水ノズルは、一端に全方向ボールヘッドが設けられており、他端に出水端が設けられており、該全方向ボールヘッドが該通水アームの一端に取り付けられており、該通水アームに対して所定角度範囲内で噴射角度が調節可能である。
【図面の簡単な説明】
【０００６】
【図１】本考案の一実施形態による全方向の散水機を示す斜視図である。
【図２】本考案の一実施形態による全方向の散水機を示す分解斜視図である。
【図３】本考案の一実施形態による全方向の散水機を示す断面図である。
【図４】本考案の一実施形態による全方向の散水機の使用例を示す模式図である。
【図５】本考案の一実施形態による全方向の散水機の使用例を示す模式図である。
【図６】本考案の一実施形態による全方向の散水機の使用例を示す模式図である（その１）。
【図７】本考案の一実施形態による全方向の散水機の使用例を示す模式図である（その２）。
【図８】本考案の一実施形態による全方向の散水機の使用例を示す模式図である（その３）。
【考案を実施するための形態】
【０００７】
本考案の実施形態を図面に基づいて説明する。実施形態において、それぞれの構成品は説明の都合に合わせた比例になっており、実際の構成品の比例に基づいて描かれたものではない。
【０００８】
（一実施形態）
図１〜３に示すように、本考案の一実施形態による全方向散水機は、案内管１０を有し、一端に水源側より通水可能な連絡管１２に螺接される接続部１１が設けられている。
【０００９】
散水ヘッド２０は、旋回自在に案内管１０の他端に取り付けられており、中央部に散水するため複数のヘッドノズル孔２１を形成されている。散水ヘッド２０の周縁部に、外側に延在している複数の通水アーム２２が設けられている。接続部１１に注水されたとき、散水ヘッド２０は、案内管１０に対して自動に回転しながら散水する。通水アーム２２は、斜めに上方に屈折される管体から構成され、通水アーム２２の管壁にアームノズル孔２３が形成されている。アームノズル孔２３の開口は、同じ回転方向に開口されているしない。本実施形態において、ヘッドノズル孔２１が３つ形成されており、通水アーム２２が３本設けられている。
【００１０】
散水ノズル３０は、一端に全方向ボールヘッド３１が設けられており、他端に出水端３２が設けられている。全方向ボールヘッド３１と出水端３２との間に通水路３３が形成されている。全方向ボールヘッド３１は通水アーム２２の一端に設けられており、通水アーム２２に対して所定の角度範囲内で噴射角度を調節することができる。散水ノズル３０の外側は、調節キャップ３４が螺設されている。調節キャップ３４の回転により、出水端３２から噴出する水の量を調節することができる。本実施形態において、散水ノズル３０と通水アーム２２との組合せ本数は３組である。
【００１１】
取付部材４０は、一端が通水アーム２２の一端に取り付けられており、他端に位置決め部材５０が螺設されている。取付部材４０と位置決め部材５０との間に全方向ボールヘッド３１を介して、シールリング６０が設けられている。シールリング６０は水の漏洩を防ぐ。全方向ボールヘッド３１をシールリング６０に密着させ、取付部材４０の一端に位置する。取付部材４０と位置決め部材５０との螺合関係を用いて、全方向ボールヘッド３１の方向を固定することができる。
【００１２】
図４は散水ノズルが上向きに曲がる態様をしめす図であり、図５は散水ノズルが下向きに曲がる態様を示す図である。異なる種類の植物の性質、特性がまったく異なるため、ある農作物または園芸植物に定期的に葉と根茎部への水やりが必要である。さらに、位置の高低が異なるときは、散水ノズル３０を用いて、仰角方向にて上方に調節すれば、散水方向は、散水対象植物の高いところに向けることができる。一例として、葉の場合、仰角範囲を大きくし、散水面積を大きくするのに利用することができる。さらに、散水ノズル３０を俯角方向に設定し、下方に調節すれば、散水方向は植物の低い場所に向く。一例として、根部の場合、俯角範囲を小さくし、散水面積を小さくするのに適用する。このように、異なる植物の需要に従って、適切な散水の高さを調節することができる。調節キャップ３４を用いて散水の強さを制御し、様々な種類の植物に対応することができる。
【００１３】
さらに、異なる種類の植物では、水滴による耐衝撃強度がそれぞれ異なり、ある農作物は散水の強さと頻度を適宜に調節しておく必要がある。よって、本実施形態の通水アーム２２のアームノズル孔２３の開口方向が同じ回転方向に開口されている構成を利用し、水をアームノズル孔２３より噴出させるときに、反作用力を形成し、散水ヘッド２０を旋回させて、植物に適切に散水することができる。
【００１４】
引き続き、図６に示すように、本実施形態を適用すれば、使用者は、散水ノズル３０からの出水方向を散水ヘッド２０と逆の旋回方向に設定することができる。そのとき、アームノズル孔２３より噴出する水による反作用力が出水端３２からの噴出水の反作用力と合わせて、散水ヘッド２０の旋回速度を加速することができる。散水ヘッド２０の旋回速度によって、水滴が振り回された後の角加速度が決められ、噴出される水滴のパワーに深く関わる。つまり回転速度が速くなり、水滴の振り出し角加速度が大きくなり、噴出される水滴のパワーも高くなる。
【００１５】
引き続き、図７に示すように、使用者は、散水ノズル３０からの出水方向を散水ヘッド２０の順回転方向に設定された場合、そのときアームノズル孔２３より噴出する水の反作用力によって、出水端３２の噴出水流の反作用力を打ち消すことにより、散水ヘッド２０の回転速度を遅くし、回転速度が遅くなることで、水滴の振り出し角加速度が小さくし、噴出される水滴のパワーを小さくすることができる。
【００１６】
引き続き、図８に示すように、使用者は、散水ノズル３０の調節キャップ３４を調節することによって、散水量を調節し、遠方または近所の範囲内で散水することができる。当然として、出水方向を調節することによって、他の散水ノズル３０の出水方向と反対側にしておき、出水による回転エネルギを打ち消し、散水ヘッド２０の回転速度を遅くし、前述の回転速度と異なる回転速度に調節することができる。さらに、使用者は、必要に応じて、散水ノズル３０の高低角度を調節し、比較的に高い所または比較的に低い所の植物に散水を行うことができる。
【符号の説明】
【００１７】
１０・・・案内管、
１１・・・接続部、
１２・・・連絡管、
２０・・・散水ヘッド、
２１・・・ヘッドノズル孔、
２２・・・通水アーム、
２３・・・アームノズル孔、
３０・・・散水ノズル、
３１・・・全方向ボールヘッド、
３２・・・出水端、
３３・・・通水路、
３４・・・調節キャップ、
４０・・・取付部材、
５０・・・位置決め部材、
６０・・・シールリング。
【図１】
0003189781.tif 000003
【図２】
0003189781.tif 000004
【図３】
0003189781.tif 000005
【図４】
0003189781.tif 000006
【図５】
0003189781.tif 000007
【図６】
0003189781.tif 000008
【図７】
0003189781.tif 000009
【図８】
0003189781.tif 000010